(57)【特許請求の範囲】
【請求項１】
天井下において作業員により用いられる長尺棒と、
天井に設けられた開口部を通り、天井に設置されるカメラを天井裏から吊り下げるケーブルと、
天井表面に設けられ、長尺棒が連結される操作部位と、
天井裏に設置され、天井に設けられた貫通穴を介して前記操作部位と連結された巻取機構であって、前記長尺棒を用いて前記操作部位が第一方向へ操作されることに応じて前記ケーブルを巻き下げさせることで前記カメラを天井から降下させ、前記長尺棒を用いて前記操作部位が第一方向とは異なる第二方向へ操作されることに応じて前記ケーブルを巻き上げさせることで前記カメラを天井方向へ上昇させる巻取機構と、
を有し、
前記巻取機構は、
前記ケーブルを巻き上げ又は巻き下げすることで前記カメラを天井から昇降させるリールと、
前記操作部位と前記リールとを連係する連係部と、
を有し、
前記ケーブルは、前記カメラが吊り下げた状態のときに天井表面と対向する位置に前記カメラに取り付けられた前記カメラの台であって中空形状の前記カメラの台の中を通って前記カメラを吊り下げており、
前記カメラが天井に設置された状態のときに前記リールの軸と直交する方向に前記リールの外周部分から中心までの長さを持つ前記開口部を塞ぐよう前記カメラの台を大きく形成することを特徴とするカメラ点検機構。
【請求項２】
請求項１記載のカメラ点検機構において、
前記巻取機構は、前記長尺棒の先端が連結されて前記操作部位が第一方向へ回転操作されることに応じて前記ケーブルを巻き下げさせることで前記カメラを天井から降下させ、前記長尺棒の先端が連結されて前記操作部位が第一方向とは逆の第二方向へ回転操作されることに応じて前記ケーブルを巻き上げさせることで前記カメラを天井方向へ上昇させることを特徴とするカメラ点検機構。
【請求項３】
請求項１記載のカメラ点検機構において、
前記カメラの台部分が前記開口部と同じ大きさで形成されている場合、前記ケーブルが巻き上げられたときに前記カメラが天井の高さ以上に巻き上げられないようにするストッパーを天井に設けたことを特徴とするカメラ点検機構。
【請求項４】
請求項１記載のカメラ点検機構において、
前記ケーブルは、前記カメラの電力線と一体成形されていることを特徴とするカメラ点検機構。
【請求項５】
請求項１記載のカメラ点検機構において、
前記カメラの自重での落下を防止する落下防止機構を有することを特徴とするカメラ点検機構。
【発明の詳細な説明】
【技術分野】
【０００１】
本発明は、カメラ点検機構、特に天井に設置された監視カメラの保守に関する。
【背景技術】
【０００２】
ＣＣＴＶ（Ｃｌｏｓｅｄ−Ｃｉｒｃｕｉｔ  ＴｅｌｅＶｉｓｉｏｎ）カメラ等の監視カメラは、天井等の高所に設置される場合が少なくない。監視カメラの点検を行う作業員は、大型の脚立や手すり付けのはしご、あるいは高所作業車を利用して天井に設置された監視カメラに近付き点検を行っていた。
【先行技術文献】
【特許文献】
【０００３】
【特許文献１】特開２００３−２６２９０２号公報
【特許文献２】特開平１０−３２５９８１号公報
【発明の概要】
【発明が解決しようとする課題】
【０００４】
しかしながら、点検のために高所の監視カメラの位置まで移動するには、持ち運ぶのに必ずしも都合の良いとは言えない用具や機械等の足場を用意する必要があった。また、高所での点検作業には、安全面での問題があった。
【０００５】
本発明は、高所に移動することなく天井に設置されたカメラの点検作業を行えるようにすることを目的とする。
【課題を解決するための手段】
【０００６】
本発明に係るカメラ点検機構は、天井下において作業員により用いられる長尺棒と、天井に設けられた開口部を通り、天井に設置されるカメラを天井裏から吊り下げるケーブルと、天井表面に設けられ、長尺棒が連結される操作部位と、天井裏に設置され、天井に設けられた貫通穴を介して前記操作部位と連結された巻取機構であって、前記長尺棒を用いて前記操作部位が第一方向へ操作されることに応じて前記ケーブルを巻き下げさせることで前記カメラを天井から降下させ、前記長尺棒を用いて前記操作部位が第一方向とは異なる第二方向へ操作されることに応じて前記ケーブルを巻き上げさせることで前記カメラを天井方向へ上昇させる巻取機構と、を有し、前記巻取機構は、前記ケーブルを巻き上げ又は巻き下げすることで前記カメラを天井から昇降させるリールと、前記操作部位と前記リールとを連係する連係部と、を有し、前記ケーブルは、前記カメラが吊り下げた状態のときに天井表面と対向する位置に前記カメラに取り付けられた前記カメラの台であって中空形状の前記カメラの台の中を通って前記カメラを吊り下げており、前記カメラが天井に設置された状態のときに前記リールの軸と直交する方向に前記リールの外周部分から中心までの長さを持つ前記開口部を塞ぐよう前記カメラの台を大きく形成することを特徴とする。
【０００７】
また、前記巻取機構は、前記長尺棒の先端が連結されて前記操作部位が第一方向へ回転操作されることに応じて前記ケーブルを巻き下げさせることで前記カメラを天井から降下させ、前記長尺棒の先端が連結されて前記操作部位が第一方向とは逆の第二方向へ回転操作されることに応じて前記ケーブルを巻き上げさせることで前記カメラを天井方向へ上昇させることを特徴とする。
【０００８】
また、前記カメラの台部分が前記開口部と同じ大きさで形成されている場合、前記ケーブルが巻き上げられたときに前記カメラが天井の高さ以上に巻き上げられないようにするストッパーを天井に設けたことを特徴とする。
【０００９】
また、前記ケーブルは、前記カメラの電力線と一体成形されていることを特徴とする。
【００１０】
また、前記カメラの自重での落下を防止する落下防止機構を有することを特徴とする。
【発明の効果】
【００１１】
本発明によれば、天井に設置されたカメラの設置位置まで移動することなく、監視カメラの点検を行うことができる。
【図面の簡単な説明】
【００１２】
【図１】本発明に係るカメラ点検機構の一実施の形態を示した概略的な斜視図である。
【図２】図１に示したカメラ点検機構の正面図である。
【図３】図１に示したカメラ点検機構の側面図である。
【図４】図１に示したカメラ点検機構の平面図である。
【図５】図１に示したカメラ点検機構が設置された天井を下方から見上げたときの図である。
【図６】本実施の形態において用いる長尺棒の外観を示した斜視図である。
【図７】本実施の形態におけるカメラ点検機構の作用を説明するための図である。
【図８】本実施の形態におけるカメラ点検機構の作用を説明するための図である。
【図９】本実施の形態において天井に開ける他の形状の貫通穴を示した斜視図である。
【図１０】本実施の形態において天井に開ける開口部を示した斜視図である。
【図１１】図１０に示した開口部を天井に設けたときのカメラ点検機構の側面図である。
【発明を実施するための形態】
【００１３】
以下、図面に基づいて、本発明の好適な実施の形態について説明する。
【００１４】
図１は、本発明に係るカメラ点検機構の一実施の形態を示した概略的な斜視図である。また、図２及び図４は、それぞれ図１に示したカメラ点検機構の正面図、側面図及び平面図である。更に、図５は、本実施の形態におけるカメラ点検機構が設置された天井を下方から見上げたときの図である。
【００１５】
天井という高所に設置されている監視カメラをレンズの清掃等の保守、点検を行う場合、従来では、監視カメラが天井に固定されているので、作業員は、大型の脚立や手すり付きのはしご等を利用して高所に移動していた。本実施の形態では、監視カメラを天井に固定せずに昇降可能に設置し、点検時には監視カメラを降下させて点検できるようにした。すなわち、本実施の形態では、監視カメラを天井に対して昇降可能に設置したことを特徴としている。
【００１６】
まず、図１乃至図５を用いて、本実施の形態におけるカメラ点検機構の構造について説明する。
【００１７】
監視カメラ２が設置される天井４には、貫通穴６が設けられており、監視カメラ２は、貫通穴６を通るケーブル１０により天井４から吊り下げられている。監視カメラ２の台８は、中空形状であり、ケーブル１０は、その台８の中を通って監視カメラ２に接続されている。監視カメラ２の動作時、監視カメラ２の台８は、ケーブル１０が巻き上げられていることにより天井４に当接し貫通穴６を覆うので、監視カメラ２は天井４に固定されているように見える。ケーブル１０は、監視カメラ２の電力線及び通信線と一体成形されている。
【００１８】
天井４の表面の監視カメラ２の近傍には、操作部位１２が設けられている。操作部位１２は、天井４に設けられた貫通穴７に嵌め込まれている。そして、操作部位１２は、貫通穴７に嵌め込まれたまま天井４の面方向に沿って回動可能に設けられている。操作部位１２の表面には、天井下において作業員により用いられる長尺棒の先端部分が連結されるＩ字形状の溝が形成されている。
【００１９】
一方、天井裏には、以下に説明するように、ケーブル１０を巻き上げ、また巻き下げる巻取機構が設置されている。まず、軸５を軸支する１組の軸支台１４，１６が、貫通穴６を挟んで対向した位置に立設されている。軸支台１４，１６の間には、軸５を軸とするリール１８及びウォームギヤ２０のはす歯歯車（ウォームホイール）２２が配設されている。リール１８は、ケーブル１０が巻き回されている。リール１８から垂れ下がったケーブル１０の一端側は、貫通穴６を通って室内側にて監視カメラ２に接続される。ケーブル１０の他端側は、ケーブル１０に含まれている少なくとも電力線及び通信線がリール１８の中心及び軸支台１４が支持する軸部分を通り、監視カメラ２の制御装置等に接続されている。
【００２０】
また、軸支台１４，１６と直交する方向には、軸支台２４及び軸受台２６が立設されている。軸支台２４と軸受台２６の間には、軸支台２４及び軸受台２６が支持する軸２８を軸とするウォームギヤ２０のねじ歯車（ウォーム）３０が配設されている。軸２８の一端側は、軸支台２４により軸支されている。軸２８の他端側には、軸受台２６を貫通した先で傘歯車３２が取り付けられている。傘歯車３２と対になる他方の傘歯車３４は、操作部位１２の裏面に連結した連結棒３６を軸としている。このように、リール１８と操作部位１２とは、連係部に含まれる軸５、ウォームギヤ２０、軸２８、傘歯車３２，３４及び連結棒３６を介して連係される。
【００２１】
天井裏は、図１乃至図４に示した巻取機構が設置されているが、室内側から天井４を見上げると、図５に示したように監視カメラ２及び監視カメラ２の近傍に操作部位１２が見えることになる。
【００２２】
図６は、本実施の形態において用いる長尺棒４０の一構成例を示した斜視図である。監視カメラ２の作業員は、後述するように床面に立って天井４に設けられた操作部位１２と連結して長尺棒４０を使用する。つまり、長尺棒４０は、床面に立つ作業員が持って天井４に届くほどの長さで形成される。なお、図６では、長尺棒４０の一部を省略して図示している。長尺棒４０の本体部４２は、中空形状の管で形成され、本体部４２の内部を細棒４４が貫通している。細棒４４の先端部は、操作部位１２の溝と連結する端棒を含むＴ字形状の連結部４６が形成されている。一方、細棒４４の他端部には、折り曲げて形成された操作部４８が形成されている。操作部４８は、作業員が握る把持部５０と、把持部５０が細棒４４からの抜け落ちを防止するエンド５２とを有する。
【００２３】
次に、本実施の形態における作用について、図１乃至図６、更に図７及び図８を用いて説明する。
【００２４】
監視カメラ２は、通常、図３に示したように台８が天井４に当接した状態で位置決めされている。換言すると、巻取機構は、台８が天井４に当接した状態となるようにケーブル１０を巻き上げている。本実施の形態では、ウォームギヤ２０を利用して、監視カメラ２が自重により落下しないようにしている。もちろん、油圧回路等他の落下防止機構を使用して落下を防止するように構成してもよい。
【００２５】
ここで、レンズの清掃等の保守、点検のために、作業員は、一方の手で持ち込んだ長尺棒４０の本体部４２を握り、他方の手で把持部５０を握る。そして、長尺棒４０の連結部４６、より詳細には、Ｔ字の頭部を形成する短棒部分を、点検対象の監視カメラ近傍にある操作部位１２の溝に嵌合させる。この嵌合させた状態で、作業員は、図７に示した例では、矢印Ａで示したように時計方向に把持部５０を回す。これに応じて、連結部４６が時計方向に回転すると、操作部位１２、連結棒３６、傘歯車３４，３２を介して、天井４に対して水平方向の回転動力が垂直方向の回転動力となってウォームギヤ２０に伝わる。そして、ウォームギヤ２０のはす歯歯車２２と同じ軸に固定されているリール１８は、この動力によって、図面上、矢印Ｂで示したように反時計方向に回転する。この回転によって、リール１８に巻き回されていたケーブル１０は巻き下げられ、これにより、天井４に台８が当接していた監視カメラ２は、矢印Ｃに示したように天井４から降下する。
【００２６】
監視カメラ２が点検するのに都合の良い高さまで降下してくると、作業員は、長尺棒４０の把持部５０を回していた手を止める。本実施の形態では、ウォームギヤ２０を利用し、操作部位１２の回転が止まると、その位置で監視カメラ２が止まるようにしている。もちろん、操作しないときにケーブル１０が緩まず、監視カメラ２が降下した位置で確実に留まるような他のロック機構を使用してもよい。
【００２７】
点検終了後、作業員は、監視カメラ２を降下させたときと同様に、一方の手で持ち込んだ長尺棒４０の本体部４２を、他方の手で把持部５０をそれぞれ握り、連結部４６を、点検対象の監視カメラ近傍にある操作部位１２の溝に嵌合させる。作業員は、この嵌合させた状態で、監視カメラ２を降下させたときとは異なる方向、すなわち、図８において矢印Ｄで示した反時計方向に把持部５０を回す。これに応じて、連結部４６が反時計方向に回転すると、操作部位１２、連結棒３６、傘歯車３４，３２を介して、天井４に対して水平方向の回転動力が垂直方向の回転動力となってウォームギヤ２０に伝わる。そして、ウォームギヤ２０のはす歯歯車２２と同じ軸に固定されているリール１８は、この動力によって、図面上、矢印Ｅで示したように時計方向に回転する。この回転によって、ケーブル１０は、巻き上げられ、リール１８に巻き回される。これに応じて、監視カメラ２は、矢印Ｆに示したように天井４の方向へ上昇し、最終的には、図３に示したように、監視カメラ２の台８が天井４に当接する。監視カメラ２の台８が天井４に当接し、元の位置に戻ったことを確認すると、作業員は、長尺棒４０の把持部５０を回していた手を止める。
【００２８】
本実施の形態では、以上のようにして、作業員を監視カメラ２が設置された高所に移動させることなく、監視カメラ２の点検作業を実施させることができる。
【００２９】
ところで、開口部として設けた貫通穴６の大きさは、ケーブル１０が通る程度の大きさでよい。ケーブル１０の断面が円形であれば、貫通穴６の形状も円形でよい。ただ、監視カメラを降下させるに連れ、ケーブル１０がリール１８から垂れ下がる位置はリール１８の外周部分から中心に近づくため、ケーブル１０が貫通穴６に接することになる。つまり、ケーブル１０が天井４をこすりながら昇降することになるので、ケーブル１０及び天井４を損傷させてしまう可能性が生じうる。
【００３０】
そこで、例えば、図９に示したように、貫通穴９をリール１８の外周部分から中心までの長辺を持つ矩形で形成する。こうすることにより、監視カメラを降下させるに連れ、ケーブル１０のリール１８から垂れ下がる位置がリール１８の中心に近づいたとしても、ケーブル１０は、貫通穴９に接することはない。ただ、この場合、室内から貫通穴９が見えてしまう。室内から貫通穴９全体を見えなくするには、貫通穴９を塞ぐ程度に監視カメラ２の台８を大きく形成するなど、何らかの工夫が必要となる。
【００３１】
そこで、例えば、図１０及び図１１に示したように、天井４の一部を矩形形状に切り抜くことで開口部１１を形成する。なお、軸と直交する開口部１１の辺の長さは、少なくともリール１８の外周部分から中心までの長さとする。そして、開口部１１の大きさとほぼ等しく、開口部１１を塞ぐ塞ぎ板１３を設ける。そして、塞ぎ板１３には、監視カメラ２の台８を固定する。また、塞ぎ板１３には、動力線等を監視カメラ２に接続するためにケーブル１０を通す貫通穴１７を形成する。
【００３２】
図１０及び図１１に示した構成において、監視カメラ２を降下させると、監視カメラ２と塞ぎ板１３は、一体となって降下する。一方、降下させた監視カメラ２を上昇させた場合、図１及び図９に示した開口部（貫通穴６，９）だと、監視カメラ２の台８が天井４に当たることで巻き上げ可能な位置が決まるが、図１０に示した開口部１１だと、監視カメラ２が天井４の高さ以上に巻き上げられる可能性がある。そこで、本実施の形態では、天井４の高さ以上に監視カメラ２が巻き上げられることを防止するために開口部１１の天井裏側にストッパー１５を設けた。
【００３３】
本実施の形態では、監視カメラ２を天井４から降下させる第一方向として、作業員に把持部５０を時計方向に回させるようにした。これにより、図面上、リール１８を反時計方向に回転させ、ケーブル１０を巻き下げさせることで、作業員に高所に移動させることなく監視カメラ２の点検を行わせることができる。一方、監視カメラ２を天井４の方向へ上昇させる第二方向として、把持部５０を反時計方向に回させるようにした。これにより、図面上、リール１８を時計方向に回転させ、ケーブル１０を巻き上げさせることで、作業員に高所に移動させることなく監視カメラ２を元の位置に戻すことができる。
【００３４】
なお、操作部位１２の操作方向は、これに限るものではなく、ウォームギヤ２０のねじ溝の向き等によって適宜決めればよい。
【００３５】
また、本実施の形態では、ケーブル１０を昇降させるために、天井４と直交する軸方向の回転（操作部位１２の回転）を、天井４と平行する軸方向への回転に変更するために傘歯車３２，３４を用いたが、フレキシブルシャフト等他の手段を用いてもよい。
【００３６】
また、本実施の形態では、電動式ではなく手動で監視カメラ２の昇降を可能にしたので、点検機構を安価に実現することができる。また、安価な手動式とするために、長尺棒４０を用いるようにしたが、この長尺棒４０は、天井４までの高さに応じて伸縮可能な構造としてもよい。また、図６に示した構造としたことで、把持部５０を回すことによって連結部４６を回転させるようにしたが、例えば、異なる操作あるいは操作方向で連結部４６を回転させるようにしてもよい。あるいは、長尺棒４０を電動式としてもよい。
【００３７】
また、本実施の形態では、監視カメラ２を吊り下げるケーブルと、監視カメラ２の電力線及び通信線とを一体に成形したが、異なる線で形成する場合には、軸５を軸とし、それぞれの線を巻き取るリールを用意する必要がある。
【符号の説明】
【００３８】
２  監視カメラ、４  天井、５，２８  軸、６，７，９，１７  貫通穴、８  台、１０  ケーブル、１１  開口部、１２  操作部位、１３  塞ぎ板、１４，１６，２４  軸支台、１５  ストッパー、１８  リール、２０  ウォームギヤ、２２  はす歯歯車、２６  軸受台、３０  ねじ歯車、３２，３４  傘歯車、３６  連結棒、４０  長尺棒、４２  本体部、４４  細棒、４６  連結部、４８  操作部、５０  把持部、５２  エンド。
【図１】
0005805549.tif 000002
【図２】
0005805549.tif 000003
【図３】
0005805549.tif 000004
【図４】
0005805549.tif 000005
【図５】
0005805549.tif 000006
【図６】
0005805549.tif 000007
【図７】
0005805549.tif 000008
【図８】
0005805549.tif 000009
【図９】
0005805549.tif 000010
【図１０】
0005805549.tif 000011
【図１１】
0005805549.tif 000012